(57)【特許請求の範囲】
【請求項１】
太陽光を受光可能な屋外箇所へ移動させることができるキャリア台車１と；この台車１上に配設されたソーラ調理部２と；このソーラ調理部２に対して太陽光Ｌを受光集束して熱エネルギーを集中せしめる集光レンズ部３と；この集光レンズ部３の両側に連結してレンズ部３をキャリア台車１上に支持する一対の支持フレーム４・４とを含んで構成する一方、
前記支持フレーム４・４を、前記台車１上におけるソーラ調理部２を挟んだ位置に枢支して、この枢支した支持フレーム４・４を、太陽光Ｌの焦点Ｆの水平位置にある枢軸Ｐ・Ｐを支点として回動可能とすると共に、
前記キャリア台車１における太陽光Ｌの焦点Ｆの鉛直位置に支持脚13を出し入れ可能に設けて、接地した前記支持脚13を支点としてキャリア台車１全体を水平方向に回転可能としたことにより、前記集光レンズ部３を移動する太陽に合わせて所定の仰角及び方位角に調節した際におけるソーラ調理部２に対する太陽光Ｌの焦点位置を一定に保持可能としたことを特徴とする移動式ソーラ調理装置。
【請求項２】
ソーラ調理部２の所定位置に、表面部に被調理物Ａを加熱する受光発熱体21aを備えた調理容器21が固定されているか、或いは透光性材料から作製され、内部に被調理物Ａを加熱する受光発熱体22aが収容された調理ポット22が固定されていることを特徴とする請求項１記載の移動式ソーラ調理装置。
【請求項３】
支持フレーム４・４に、押引してキャリア台車１全体を進退移動させることができる操作ハンドル41を構成するベルクランク形の持出部41a・41aの屈曲部位Ｂを回動自在に取着すると共に、この持出部41a・41aにおけるグリップ部41bの反対側のアーム部41c・41cにはリング部41d・41dを設け、このリング部41d・41dを、キャリア台車１に前後方向に揺動自在に枢支された係止ロッド５・５にクリアランスＣを有する状態で装着して、支持フレーム４・４の揺動に連動して前記リング部41dをロッド５上でスライド進退可能とする一方、
前記支持フレーム４を任意の角度に傾けた状態において、前記操作ハンドル41のグリップ部41bを押し下げてリング部41dを持ち上げ、その持ち上げたリング部41dで係止ロッド５を手前に倒しつつ摩擦力でリング部41dを係止ロッド５に係止せしめるとともに、手前に倒した係止ロッド５・５を集光レンズ部３の自重で押さえ込んで支持フレーム４・４を一定の角度で固定可能としたことを特徴とする請求項１または２に記載の移動式ソーラ調理装置。
【発明の詳細な説明】
【技術分野】
【０００１】
本発明は、ソーラ調理装置の改良、詳しくは、幅広い形状の調理容器や重量が大きい調理容器を自由に不都合なく使用することができ、調理場所の変更や屋内への片付け作業も容易に行え、しかも、レンズ角度の調節作業も非常に簡単な太陽光を利用する移動式ソーラ調理装置に関するものである。
【背景技術】
【０００２】
近年では、自然エネルギーである太陽光をエネルギー源として利用したソーラーシステムが様々な技術分野で取り入れられており、調理器具の分野においても集光した太陽光を熱エネルギーに変え、その熱で肉や野菜を煮たり焼いたりすることができる加熱調理器(通称、「ソーラークッカー」)がよく知られている。
【０００３】
そして、そのような加熱調理器としては、＜特許文献１＞にあるような凹面鏡を使用して太陽光を集光する構造のものが従来において提案されているが、このような凹面鏡を用いた構造の加熱調理器においては、凹面鏡上部の焦点位置に配置する調理容器に幅広い 形状のフライパンなどを使用すると、調理容器自体が採光の邪魔になってしまい充分な熱エネルギーを得られなくなるという欠点があった。
【０００４】
また、これと同じ理由で調理容器を上部で保持するための支持枠もできるだけ細い形状で作製する必要があったことから、調理容器に重い銅鍋などを使用した場合に支持枠が撓んで支持状態が不安定になることがあり、また重い調理容器が上部に配置されることで重心が高くなって調理器全体もぐらつき易くなることも多かったため、調理作業を行い難いという不満があった。
【０００５】
一方、従来においては、太陽光の集光に凸レンズ又はそれと同様の効果を持つフレネルレンズを使用した構造の加熱調理器も提案されているが、＜特許文献２＞にあるような鉛直方向に伸縮する複数の支持体によってレンズ角度を調節する構造では、レンズの傍で各支持体を伸縮操作する際にレンズから離れた場所に設置した調理容器に対して焦点が合わせるのが難しく、容器自体を焦点に合わせて動かしたり、焦点が本当に合っているかをいちいち確認したりする作業が必要となったため、調節作業が面倒なものになって時間も無駄にかかった。
【０００６】
さらに、上記＜文献２＞に係る加熱調理器においては、フレネルレンズが装着された支持体と調理容器が配置された調理台とが別々の器材から構成されていたため、調理場所の変更や片付け作業を行う際にそれぞれの器材を往復して運ばなければならず、しかも、そうして調理場所を変更した後には、もう一度支持体と調理台とを適正な間隔で配置し直す作業も必要になって非常に余計な手間がかかっていた。
【特許文献１】特開昭６０−１３７３２５号公報（第１−４頁、第１−６図）
【特許文献２】特開平５−３０２７５９号公報（第２−８頁、第１−１２図）
【発明の開示】
【発明が解決しようとする課題】
【０００７】
本発明は、上記の如き問題に鑑みて為されたものであり、その目的とするところは、幅広い形状のフライパンやずっしりと重い銅鍋等を調理容器として使用しても調理作業に不都合が生じず、調理場所の変更や屋内への片付け作業も容易に行うことができ、しかも、レンズ角度の調節作業を省力的に確実かつ迅速に行える太陽光を利用する移動式ソーラ調理装置を提供することにある。
【課題を解決するための手段】
【０００８】
本発明者が上記課題を解決するために採用した手段を添付図面を参照して説明すれば次のとおりである。
【０００９】
即ち、本発明は、太陽光を受光可能な屋外箇所へ移動させることができるキャリア台車１と；この台車１上に配設されたソーラ調理部２と；このソーラ調理部２に対して太陽光Ｌを受光集束して熱エネルギーを集中せしめる集光レンズ部３と；この集光レンズ部３の両側に連結されてレンズ部３をキャリア台車１上に支持する一対の支持フレーム４・４とを含んで構成する一方、
前記支持フレーム４・４を、前記台車１上におけるソーラ調理部２を挟んだ位置に枢支して、この枢支した支持フレーム４・４を、太陽光Ｌの焦点Ｆの水平位置にある枢軸Ｐ・Ｐを支点として回動可能とすると共に、
前記キャリア台車１における太陽光Ｌの焦点Ｆの鉛直位置に支持脚13を出し入れ可能に設けて、接地した前記支持脚13を支点としてキャリア台車１全体を水平方向に回転可能としたことにより、移動する太陽に合わせて集光レンズ部３を所定の仰角及び方位角に調節した際におけるソーラ調理部２に対する太陽光Ｌの焦点位置を一定に保持可能とした点に特徴がある。
【００１０】
また、本発明は、上記課題を解決するために、必要に応じて上記手段に加え、ソーラ調理部２に、表面部に被調理物Ａを加熱する受光発熱体21aを備えた調理容器21が配置するか、或いは透光性材料から作製され、内部に被調理物Ａを加熱する受光発熱体22aが収容された調理ポット22を配置するという技術的手段を採用することができる。
【００１１】
また、本発明は、上記課題を解決するために、必要に応じて上記手段に加え、支持フレーム４・４に、押引してキャリア台車１全体を進退移動させることができる操作ハンドル41を構成するベルクランク形の持出部41a・41aの屈曲部位Ｂを回動自在に取着するとともに、この持出部41a・41aにおけるグリップ部41bの反対側のアーム部41c・41cにはリング部41d・41dを設け、このリング部41d・41dを、キャリア台車１に前後方向に揺動自在に枢支された係止ロッド５・５にクリアランスＣを有する状態で装着して、支持フレーム４・４の揺動に連動して前記リング部41dをロッド５上でスライド進退可能とする一方、
前記支持フレーム４を任意の角度に傾けた状態において、前記操作ハンドル41のグリップ部41bを押し下げてリング部41dを持ち上げ、その持ち上げたリング部41dで係止ロッド５を手前に倒しつつ摩擦力でリング部41dを係止ロッド５に係止せしめるとともに、手前に倒した係止ロッド５・５を集光レンズ部３の自重で押さえ込んで支持フレーム４・４を一定の角度で固定可能とするという技術的手段を採用することができる。
【発明の効果】
【００１２】
本発明においては、調理容器を配置する調理部と集光レンズを固定する支持フレームとを台車上に一体的に設けて加熱調理装置を作製したことにより、前記支持フレームに配設した操作ハンドルを操作することで調理装置を簡単に移動させることができるため、調理場所の変更や調理後の屋内への片付け作業を極めて容易に行うことが可能となる。
【００１３】
また、上記において調理場所を変更する場合には、台車上で調理部と集光レンズとの焦点の位置関係は適切に保てるため、移動後に余計な準備作業を行う必要もない。
【００１４】
また本発明では、支持フレームを台車上の調理部を挟んだ位置で枢支すると共に、調理部の下方には出し入れ可能な支持脚を設けたことにより、枢軸を支点とした支持フレームの揺動操作、及び接地した支持脚を支点とした台車の回転操作によって、集光レンズの仰角及び方位角を太陽の移動に合わせて所定の角度に調節することができ、しかも、焦点レンズを所定の角度に調節した際における調理容器に対する太陽光の焦点位置は常に一定に保持されるため、調節作業時に容器自体を動かして焦点に合わせる煩わしい作業が不要となる。
【００１５】
またその際には、調理台の傍で調理容器の受熱発光部に焦点がきているかどうかをしっかりと確認しながら調節作業を行うことができるため、集光レンズを所定の角度に確実かつ迅速に調節することも可能となる。
【００１６】
他方また、台車上において調理台はレンズ下方に配置されるため、幅広い形状の調理容器を使用しても採光量に影響はなく高い熱エネルギーを得ることが可能であり、また、重量の大きい調理容器を使用した場合に器具が不安定になることもないため安定した状態で調理を行うことができる。
【００１７】
したがって、本発明により、頻繁に移動が行われる際に非常に便利で、太陽の追尾作業も簡単に行え、しかも、調理の作業環境も良好な太陽光を利用する加熱調理器を提供できることから、本発明の実用的利用価値は頗る高い。
【発明を実施するための最良の形態】
【００１８】
本発明を実施するための最良の形態を具体的に図示した図面に基づいて更に詳細に説明すると、次のとおりである。
【００１９】
『実施例１』
本発明の実施例１は、図１から図７に示される。同図において、符号１で指示するものはキャリア台車であり、符号２で指示するものはソーラ調理部である。そして、符号３で指示するものは、集光レンズ部であり、符号４で指示するものは、支持フレームである。また、符号５で指示するものは、係止ロッドである。
【００２０】
この実施例１においては、キャスター11・11…により地上を移動可能なキャリア台車１の基枠12上に調理容器21を配置するためのソーラ調理部２を配設し、このソーラ調理部２には、表面部に受光発熱体21aを有する調理容器21を載置しておく（図１参照）。
【００２１】
なお実施例１では、ソーラ調理部２に配置する調理容器21として、被調理物Ａを収容する容器本体と蓋状の受光発熱体21aとから成る調理容器21を使用しており、受光発熱体21aには表面が黒色で伝熱性の良好な金属材料を使用している（図２、図３参照）。
【００２２】
また、上記調理容器21の受光発熱体21aには、容器本体に収容された被調理物Ａとの接触面積を増やし、かつ、入射した太陽光Ｌを乱反射して効果的に熱エネルギーへと変換することができる凹凸部21bを形成している。
【００２３】
また更に、調理容器21の受光発熱体21aは、容器本体に対して十分深く形成しているため、容器本体内の液状の被調理物Ａに起こる対流を助長して被調理物Ａの温度の均一化を図ることも可能となる。
【００２４】
ちなみに、ソーラ調理部２に配置する調理容器21としては、受光発熱体21a自体の中に被調理物Ａを収容して加熱を行うフライパン状のものであってもよく、また、受光発熱体21aの表面を部分的に黒色にしたものや伝熱性に優れた陶器などのセラミック材料から成るものであってもよい。
【００２５】
また、キャリア台車１上には、前記調理容器21の受光発熱体21aに対して入射する太陽光Ｌを収束して熱エネルギーを集中せしめる凸レンズと同様の効果を有するフレネルレンズ31を向日枠32に装着した集光レンズ部３と、この集光レンズ部３の向日枠32を両側で支持する支持フレーム４・４と一体的に設けている。
【００２６】
そして、支持フレーム４・４には、所定部位にキャリア台車１の走行操作を行うための操作ハンドル41を設けており、この操作ハンドル41を押引することによって、キャリア台車１全体を進退させて好きな場所に移動させることができる。
【００２７】
これによって、キャリア台車１上のソーラ調理部２に配置された調理容器21の受光発熱体21aに集光レンズ部３で集光した太陽光Ｌの焦点Ｆを当てて発熱させ、その熱を利用して調理容器21の容器本体内の被調理物Ａを加熱調理することができ、更に日当たりや食事する場所を考慮して調理場所を変更する場合や、調理後に器具の片付ける場合においてキャリア台車１の移動を極めて容易に行うことが可能となるため、屋外で使用する加熱調理装置としての利便性を向上することができる。
【００２８】
しかも、上記において調理場所を変更する際には、キャリア台車１上のソーラ調理部２と集光レンズ部３の状態をそのままに移動することができるため、移動した後にソーラ調理部２を集光レンズ部３の位置を移動前の状態に直す余計な準備作業も不要となる。
【００２９】
また、集光レンズ部３の受光角度の調節については、支持フレーム４・４をキャリア台車１上におけるソーラ調理部２を挟んだ位置に枢支して、この支持フレーム４・４の角度を、太陽光Ｌの焦点Ｆの水平位置にある枢軸Ｐを支点として揺動可能としたことにより、集光レンズ部３の向日枠32の取手部32aを持って、図４(a)及び(b)に示すように支持フレーム４・４を傾倒または起立操作して集光レンズ部３の仰角を太陽の移動位置に合わせて所定の角度に調節することが可能となる。
【００３０】
一方、集光レンズ部３の方位角の調節に関しては、キャリア台車１における太陽光Ｌの焦点Ｆの鉛直位置であるソーラ調理部２の直下に先端部が回転自在な支持脚13を設けて、接地した前記支持脚13を支点としてキャリア台車１全体を水平方向に回転可能としたことにより、集光レンズ部３の方位角を太陽の位置に合わせて所定の角度に調節可能としている。
【００３１】
なお、支持脚13はキャリア台車１に対して出し入れ可能に設けられているため、キャリア台車１を移動させる際に支持脚13を引き上げることによって支持脚13がキャリア台車１の移動の邪魔になることはない。
【００３２】
そして上記のように焦点レンズ３の角度調節機構を構成したことにより、移動する太陽に合わせて集光レンズ部３を所定の仰角及び方位角に調節した際において、ソーラ調理部２に対する太陽光Ｌの焦点位置を一定に保持することができるため、焦点Ｆを合わせるために調理容器21をわざわざ動かす必要はなく、簡単に調節作業を行うことができる。
【００３３】
そして上記の際には、ソーラ調理部２の傍で調理容器21の受熱発光部21aに対して焦点Ｆが適正な位置で当たっているかどうかをしっかりと確認しながら作業を行えるため、確実かつ迅速な調節作業が可能となる。
【００３４】
特に、太陽の追尾作業に関しては約１０分に一回程度行う必要があるため、迅速なレンズ角度の調節は円滑な調理作業に大きな効果となる。
【００３５】
そして次に、上記集光レンズ部３の仰角調節において支持フレーム４を任意の角度に揺動操作した後に一定の角度で固定する方法、及び太陽の位置に合わせて集光レンズ部３の方位角を調節する方法を説明する。
【００３６】
まずこの実施例１では、支持フレーム４・４に、操作ハンドル41を構成するベルクランク状の持出し部41a・41aの屈曲部位Ｂを回動自在に取着すると共に、この持出し部41a・41aにおけるグリップ部41bの反対側のアーム部41cにはリング部41d・41cを設け、このリング部41d・41cを、キャリア台車１に揺振自在に枢着された係止ロッド５・５にクリアランスＣを有する状態で装着して、支持フレーム４・４の揺動に連動して前記リング部41dがロッド５上でスライド進退できるようにしている（図５参照）。
【００３７】
なお実施例１では、係止ロッド５の下部にストッパー部材51を配設して、このストッパー部材51で下方にスライドするリング部41dを制止することにより、支持フレーム４の可動範囲を規制している。
【００３８】
また、支持フレーム４・４の下部とキャリア台車１とをスプリング材42・42で連結したことにより、焦点レンズ部３の重量による支持フレーム４への負荷がスプリング材42の引張抵抗で軽減されるため、支持フレーム４・４の傾倒・起立操作に大きな力は必要なく仰角調節作業を省力的にスムーズに行うことができる（図６参照）。
【００３９】
そして、支持フレーム４を任意の角度に傾けた状態において、図７に示すように前記操作ハンドル41のグリップ部41bを押し下げてリング部41dを持ち上げ、その持ち上げたリング部41dで係止ロッド５を手前に倒しつつ摩擦力でリング部41dを係止ロッド５に係止せしめると共に、手前に倒した係止ロッド５・５を集光レンズ部３の自重で押さえ込んで支持フレーム４・４を一定の角度で固定可能としている。
【００４０】
また、上記構造を採用したことにより、支持フレーム４が揺動に対して操作ハンドル41の角度を略一定に保つこともできるため、支持フレーム４が傾いた状態のままでもキャリア台車１の走行操作を容易に行うことができる。
【００４１】
他方また、キャリア台車１上においてソーラ調理部２は集光レンズ部３の下方に配置されるため、調理容器21にフライパンなどの幅広い形状のものを使用しても高い熱エネルギーを得ることが可能であり、また、調理容器21に銅鍋のような重量の大きいものを使用した場合でも安定した状態で調理を行える。
【００４２】
『実施例２』
次に、本発明の実施例２を図８及び図９に基づいて説明する。同図において、符号６で指示するものは流体圧シリンダである。この実施例２では、キャリア台車１と支持フレーム４に流体圧シリンダ６を枢着して、図８(a)及び(b)に示すように流体圧シリンダ６の伸退縮ロッド61を伸縮させることで支持フレーム４・４の角度を任意に調節できるようにしており、これによって集光レンズ部３の仰角の調節を自動化することが可能となる。
【００４３】
また、ソーラ調理部２上には伝熱性を有する受光発熱体22aを内部に収容し、透光性及び耐熱性を備えた材料(本実施例では、「耐熱性ガラス」)から作製された調理ポット22を配置しており、この調理ポット22を使用した場合には、集光レンズ部３で集光された太陽光Ｌを調理ポット22内に透過させて受光発熱体22aに焦点Ｆを当てることにより、ポット内の被調理物Ａを加熱調理することができる（図９参照）。
【００４４】
なお実施例２では、調理ポット22に収容する受光発熱体22aとして、ドーナツ状の金属板を半円形又は扇型に切り取って円錐状に丸めたものを使用しており、このような受光発熱体22aを使用することによって、開口部が窄まった形状の調理ポット22であっても細く巻き込んで受光発熱体22aを挿入することが可能となり、しかも、この挿入した受光発熱体22aはポット内で広がって斜め方向から入射した太陽光Ｌを受け易くなるだけでなく、容器内の被調理物との接触面積を増やして効率良く加熱することも可能となる。
【００４５】
またソーラ調理部２には昇降部23を設けているため、この昇降部23を操作することによって載置台を上下させて太陽光Ｌの焦点位置の微調整を行うこともできる。
【００４６】
なお、太陽光Ｌの焦点位置の微調整は、支持フレーム４・４に対して集光レンズ部３を回動可能に連結することによっても行うことができる。
【００４７】
本発明は、概ね上記のように構成されるが、本発明は図示の実施形態に限定されるものでは決してなく、「特許請求の範囲」の記載内において種々の変更が可能であって、例えば、集光レンズ部３の仰角調節において、支持フレーム４を任意の角度で固定する機構としては、支持フレーム４の揺動に連動してスライドするロッド材をチャック機構で固定する構造であってもよく、また、キャリア台車１と支持フレーム４・４との枢着部にラチェット機構を用いた構造であってもよく、何れのものも本発明の技術的範囲に属する。
【産業上の利用可能性】
【００４８】
近年では、二酸化炭素の排出を抑えられる環境に優しいクリーンエネルギーである太陽光への注目が高まっており、調理器具の分野においても太陽光をエネルギー源として有効活用できる加熱調理器の需要は大きい。
【００４９】
そのような中で、本発明の太陽光を利用する移動式加熱調理器は、太陽光を効率良く熱エネルギーに変えて加熱調理を行えるだけでなく、今まで不便だった調理場所の移動や調理容器の選択に係る諸問題を解決でき、しかも、迅速に太陽を追尾して調理作業の円滑化も図れる有用な技術であるため、市場における需要は大きく、その産業上の利用価値は非常に高い。
【図面の簡単な説明】
【００５０】
【図１】本発明の実施例１における加熱調理器を表わす全体斜視図である。
【図２】本発明の実施例１における調理容器を表わす全体斜視図である。
【図３】本発明の実施例１における調理容器を表わす状態説明図である。
【図４】本発明の実施例１における集光レンズの仰角調節機構を表わす状態説明図である。
【図５】本発明の実施例１における操作ハンドルと係止ロッドの連結構造を表わす部分斜視図である。
【図６】本発明の実施例１における支持フレームと台車の連結構造を表わす拡大斜視図である。
【図７】本発明の実施例１における支持フレームの角度固定機構を表わす状態説明図である。
【図８】本発明の実施例２における集光レンズの仰角調節機構を表わす状態説明図である。
【図９】本発明の実施例２における調理ポットを表わす全体斜視図である。
【符号の説明】
【００５１】
１  キャリア台車
11  キャスター
12  基枠
13  支持脚
２  ソーラ調理部
21  調理容器
21a  受光発熱体
21b  凹凸部
22  調理ポット
22a  受光発熱体
23  昇降部
３  集光レンズ部
31  フレネルレンズ
32  向日枠
32a  取手部
４  支持フレーム
41  操作ハンドル
41a  持出部
41b  グリップ部
41c  アーム部
41d  リング部
42  スプリング材
５  係止ロッド
51  ストッパー部材
６  流体圧シリンダ
61  伸退縮ロッド
Ｌ  太陽光
Ｆ  焦点
Ａ  被調理物
Ｐ  枢軸
Ｂ  屈曲部位
Ｃ  クリアランス
【図１】
0005110488.tif 000002
【図２】
0005110488.tif 000003
【図３】
0005110488.tif 000004
【図４】
0005110488.tif 000005
【図５】
0005110488.tif 000006
【図６】
0005110488.tif 000007
【図７】
0005110488.tif 000008
【図８】
0005110488.tif 000009
【図９】
0005110488.tif 000010